【手続補正書】
【提出日】平成28年6月29日(2016.6.29)
【手続補正１】
【補正対象書類名】特許請求の範囲
【補正対象項目名】全文
【補正方法】変更
【補正の内容】
【特許請求の範囲】
【請求項１】
側面壁（２）と入口壁（３）とフランジ様縁（４）と前記フランジ様縁の外側へと延びかつ前記側面壁（２）から離れた密封突起（５）とを有する中空体（６）を、備えたカプセル（１）と、
受けプレート（２２）に対して開き位置から閉じ位置まで移動することにより、前記カプセルの中空体の少なくとも一部を収容するための閉鎖室を形成する移動可能な容器（２１）を有し、前記容器（２１）には前記カプセル（１）の前記側面壁（２）とは反対側に向く外側部分（１０ａ）を有する押圧縁（１０）が設けられている、抽出装置（２０）と、
を備え、
前記カプセルの前記突起（５）は、前記フランジ様縁（４）に対して８０〜４０度の範囲の角度である内側角度αだけ傾いた少なくとも１つの辺(7)を有しており、
前記角度αと前記突起（５）の前記側面壁（２）からの空間（Ｌ）とは、前記突起の頂点及び辺から選択される少なくとも１カ所において前記突起と前記容器（２１）の前記押圧縁（１０）の前記外側部分（１０ａ）とが接触するように配置される、
飲料を供給するためのシステム。
【請求項２】
前記突起の前記辺（７）は前記突起（５）の内辺である、請求項１に記載のシステム。
【請求項３】
前記容器（２１）の縁（１０）は、前記傾斜辺と前記カプセルの前記側面壁との間に収容される、請求項２に記載のシステム。
【請求項４】
前記角度αは、８０〜６０度の範囲にあり、好ましくは７５〜６０度の範囲にあり、さらに好ましくは７０〜６５度の範囲にある、請求項１〜３のいずれかに記載のシステム。
【請求項５】
前記突起の前記頂点（８）は少なくとも部分的に塑性変形可能である、請求項１〜４のいずれかに記載のシステム。
【請求項６】
前記カプセル（１）の前記フランジ縁（４）において前記側面壁（２）の外径は前記容器（２１）の内径と等しい、請求項５に記載のシステム。
【請求項７】
前記突起の上側の頂点の角度βは、１０〜４５度の範囲にあり、好ましくは１５〜３５度の範囲にある、請求項１〜６のいずれかに記載のシステム。
【請求項８】
前記突起（５）は三角形状である、請求項１〜７のいずれかに記載のシステム。
【請求項９】
前記三角形は、直角三角形及び不等辺三角形から選ばれる、請求項８に記載のシステム。
【請求項１０】
前記突起（５）は、前記突起（５）の前記少なくとも１つの辺（７）から前記フランジ様縁（４）の端部（４ａ）に向かって延びている、少なくとも１つの前記フランジ様縁（４）の厚み増加部分を形成する、請求項３〜９のいずれかに記載のシステム。
【請求項１１】
前記フランジ様縁（４）の厚み増加部分を形成する前記密封突起（５）は、前記少なくとも１つの傾斜辺（７）と前記フランジ様縁（４）の前記周辺端（４ａ）との間の空間全体、又は、前記空間の一部分だけにおいて延びている、請求項１０に記載のシステム。
【請求項１２】
前記フランジ様縁（４）の厚み増加部分は、前記傾斜辺（７）の頂点（８）から前記フランジ様縁（４）の前記端部（４ａ）まで延びる平坦な面を有している、請求項１０又は１１に記載のシステム。
【請求項１３】
前記フランジ様縁（４）の前記端部（４ａ）は、放射断面図において実質的にＬ字形状である、請求項１〜１２のいずれかに記載のシステム。
【請求項１４】
前記フランジ様縁（４）は、前記入口壁（３）から離れる方向に向いている前記フランジ様縁（４）の面上に配置された少なくとも１つの空洞部（１７）を備えている、請求項１〜１３のいずれかに記載のシステム。
【請求項１５】
前記少なくとも１つの空洞部（１７）は、前記カプセルの前記フランジ様縁（４）の前記縁（４ａ）に対応して配置されている、請求項１４に記載のシステム。
【請求項１６】
閉鎖状態又は抽出ステップにおいて、前記容器の前記縁（１０）は、前記突起（５）と前記カプセルの前記側面壁（２）との両方に接触している、請求項１〜１５のいずれかに記載のシステム。
【請求項１７】
前記閉鎖状態又は抽出ステップでは、前記容器の前記縁（１０）は、前記突起（５）と、前記側面壁（２）と、前記側面壁（２）と前記突起（５）の前記傾斜辺（７）との間の前記カプセルの前記フランジ様縁（４）の少なくとも一部分と接触している、請求項１〜１６のいずれかに記載のシステム。
【請求項１８】
前記カプセルの前記側面壁（２）と前記突起（５）の前記傾斜辺（７）の底部（７ａ）との間の距離（Ｌ１）は、０．４ｍｍ〜０．７ｍｍの範囲にあり、好ましくは０．５ｍｍ〜０．７ｍｍの範囲にある、請求項１〜１７のいずれかに記載のシステム。
【請求項１９】
前記突起（５）の前記頂点（８）と前記カプセルの前記側面壁（２）との間の距離（Ｌ）は、０．６ｍｍ〜１．０ｍｍの範囲にあり、好ましくは、前記距離は０．７ｍｍである、請求項１〜１８のいずれかに記載のシステム。
【請求項２０】
前記カプセルの前記側面壁（２）と前記突出部（５）の前記傾斜辺（７）の前記底部（７ａ）との間の距離（Ｌ１）は、前記容器の縁（１０）の幅（Ｗ）より小さい、請求項１〜１９のいずれかに記載のシステム。
【請求項２１】
前記突起（５）の頂点（８）と前記カプセルの前記側面壁（２）との間の距離（Ｌ）は、容器の縁（１０）の幅（Ｗ）以上である、請求項１〜２０のいずれかに記載のシステム。
【請求項２２】
前記カプセル（１）は、前記カプセルのフランジ縁（４）から突出しかつ前記側面壁（２）と前記密封突起（５）との間において放射状に延びる複数の密封要素（２４、２３）を備えている、請求項１〜２１のいずれかに記載のシステム。
【請求項２３】
前記密封要素は、円形の要素（２４）及び薄い壁（２３）から選ばれる、請求項２２に記載のシステム。
【請求項２４】
側面壁（２）と、入口壁（３）と、フランジ様縁（４）と、前記フランジ縁の外側に延び前記側面壁（２）から離れている密封突起（５）と、を有する中空体（６）を備え、
前記突起（５）が、前記フランジ縁（４）の平面に対して８０〜４０度の範囲内の内角αだけ傾いている前記側面壁（２）に面した内側辺（７）を有する、
カプセル（１）。
【請求項２５】
前記突起（５）の前記辺（７）は凹凸であるか又は湾曲している、請求項２４に記載のカプセル。
【請求項２６】
前記角度αは、８０〜６０度の範囲にあり、好ましくは７５〜６０度の範囲にあり、さらに好ましくは７０〜６５度の範囲にある、請求項２４又は２５に記載のカプセル。
【請求項２７】
前記突起（５）の頂点（８）は、少なくとも部分的に塑性変形可能である、請求項２４〜２６のいずれかに記載のカプセル。
【請求項２８】
前記突起の上側の頂点の角度βは、１０〜４５度の範囲にあり、好ましくは１５〜３５度の範囲にある、請求項２４〜２７のいずれかに記載のカプセル。
【請求項２９】
前記突起（５）は三角形状である、請求項２４〜２８のいずれかに記載のカプセル。
【請求項３０】
前記突起（５）は、前記突起（５）の前記少なくとも１つの辺（７）から前記フランジ様縁（４）の端部（４ａ）に向かって延びている、少なくとも１つの前記フランジ様縁（４）の厚み増加部分を形成する、請求項２４〜２９のいずれかに記載のカプセル。
【請求項３１】
前記フランジ様縁（４）の厚み増加部分を形成する前記密封突起（５）は、前記少なくとも１つの傾斜辺（７）と前記フランジ様縁（４）の周辺端（４ａ）との間の空間全体、又は、前記空間の一部分だけにおいて延びている、請求項３０に記載のカプセル。
【請求項３２】
前記フランジ様縁(４)の厚み増加部分は、前記傾斜辺（７）の前記頂点（８）から前記フランジ様縁（４）の前記端部（４ａ）まで延びている平坦な面を有している、請求項３０又は３１に記載のカプセル。
【請求項３３】
前記フランジ様縁（４）の前記端部（４ａ）は、放射断面図において実質的にＬ字形状である、請求項２４〜３２のいずれかに記載のカプセル。
【請求項３４】
前記フランジ様縁（４）は、前記入口壁（３）からは離れた方向を向く前記フランジ様縁（４）の面に形成された少なくとも１つの空洞部（１７）を備えている、請求項２４〜３３のいずれかに記載のカプセル。
【請求項３５】
前記少なくとも１つの空洞部（１７）は、前記カプセルの前記フランジ様縁（４）の前記端部（４ａ）に対応する位置に配置されている、請求項３４に記載のカプセル。
【請求項３６】
前記カプセルの前記側面壁（２）と前記突起（５）の前記傾斜辺（７）の前記底部（７ａ）との間の距離（Ｌ１）は、０．４ｍｍ〜０．７ｍｍの範囲にあり、好ましくは０．５ｍｍ〜０．７ｍｍの範囲にある、請求項２４〜３５のいずれかに記載のカプセル。
【請求項３７】
前記突起（５）の前記頂点（８）と前記カプセルの前記側面壁（２）との間の距離（Ｌ）は、０．６ｍｍ〜１．０ｍｍの範囲にあり、好ましくは、前記距離（Ｌ）は０．７ｍｍである、請求項２４〜３６のいずれかに記載のカプセル。
【請求項３８】
前記カプセルのフランジ縁（４）から突出し、前記側面壁（２）及び前記密封突起（５）の間において放射状に延びる複数の密封要素（２４、２３）を備えている、請求項２４〜３７に記載のカプセル。
【請求項３９】
前記密封要素は、円形の要素（２４）及び薄い壁（２３）から選択される、請求項３８に記載のカプセル。
【請求項４０】
側面壁（２）と入口壁（３）とフランジ様縁（４）と前記フランジ縁の外側へと延びる密封手段とを有する中空体（６）を備え、
前記密封手段は、前記カプセルのフランジ縁(4)から突出し前記フランジ上において放射状に延びる複数の密封要素（２４、２３）を備えている、
カプセル（１）。
【請求項４１】
前記フランジ上の円周に延びる密封突起（５）をさらに備え、前記密封要素は前記側面壁（２）と前記密封突起（５）との間に配置されている、請求項１７に記載のカプセル。